(57)【要約】【課題】各記録装置に記録されている映像コンテンツを快適に再生、鑑賞することができる画像処理装置を提供する。【解決手段】この画像処理装置は、複数の記録装置に記録された映像コンテンツを時間軸に沿ってリスト化してタイムマップを作成し、作成したタイムマップに基づいて複数の映像コンテンツを時間軸順に再生して表示部１５に画像を表示する。また、複数の映像コンテンツに時間軸が重複する映像コンテンツが存在する場合は、該重複する映像コンテンツののいずれかの画像を他の映像コンテンツの画像の表示画面の一部に表示する。【選択図】図８
2008011245.tif 000002
【特許請求の範囲】
【請求項１】
複数の映像コンテンツと前記複数の映像コンテンツの生成時間を示す時間情報とを取得する取得手段と、
前記取得手段により取得した時間情報に基づき、前記取得手段により取得した複数の映像コンテンツを時間軸に沿ってリスト化してタイムマップを作成するタイムマップ作成手段と、
該タイムマップ作成手段によって作成された前記タイムマップに基づいて前記映像コンテンツを時間軸順に再生して表示装置に画像を表示する表示制御手段と、
前記取得した複数の映像コンテンツの中で、互いに生成時間が重複する映像コンテンツを判別する判別手段と、
該判別手段によって生成時間が重複すると判別された複数の映像コンテンツのうちの一つの映像コンテンツの画像を、重複する他の映像コンテンツの画像の表示画面の一部に表示する表示画面変更手段と、を備える
ことを特徴とする画像処理装置。
【請求項２】
前記表示画面変更手段は、前記重複する画像が動画と静止画である場合に、静止画を前記表示画面の一部に表示する、
ことを特徴とする請求項１に記載の画像処理装置。
【請求項３】
前記タイムマップ作成手段によって作成された前記タイムマップの映像コンテンツの中から再生したい画像をユーザーが選択可能なユーザーインターフェース手段を備え、
前記表示制御手段は、前記ユーザーインターフェース手段を介してユーザーによって選択された画像を時間軸順に再生して前記表示画面に表示し、
前記判別手段は、前記ユーザーインターフェース手段を介してユーザーによって選択された画像を判別対象とする、
ことを特徴とする請求項１又は２に記載の画像処理装置。
【請求項４】
前記ユーザーインターフェース手段は、ユーザーが前記再生したい画像の時間軸の範囲を設定することにより、該画像の選択を可能にする、
ことを特徴とする請求項３に記載の画像処理装置。
【請求項５】
前記取得手段は、前記映像コンテンツを記録する記録装置と接続する接続手段を含み、前記接続手段により接続された記録装置より前記映像コンテンツと前記時間情報とを取得し、
前記判別手段が、同じ記録装置に記録されている複数の映像コンテンツの中で、互いに生成時間軸が重複する映像コンテンツを判別した場合に、該重複する映像コンテンツに対して再生優先度を設定する優先度設定手段を備える、
ことを特徴とする請求項１〜４のいずれか一項に記載の画像処理装置。
【請求項６】
前記優先度設定手段は、前記重複する映像コンテンツが静止画と動画を含む場合に、動画を優先させる、
ことを特徴とする請求項５に記載の画像処理装置。
【請求項７】
前記優先度設定手段は、前記重複する映像コンテンツのうちの、前記記録装置での記録時間が長い方を優先させる、
ことを特徴とする請求項５に記載の画像処理装置。
【請求項８】
前記優先度設定手段は、前記重複する映像コンテンツのうちの、前記記録装置での記録開始時間が早い方を優先させる、
ことを特徴とする請求項５に記載の画像処理装置。
【請求項９】
前記優先度設定手段は、前記重複する映像コンテンツのうちの、前記記録装置での記録完了時刻が早い方を優先させる、
ことを特徴とする請求項５に記載の画像処理装置。
【請求項１０】
複数の映像コンテンツと前記複数の映像コンテンツの生成時間を示す時間情報とを取得する取得ステップと、
前記取得ステップにより取得した時間情報に基づき、前記取得ステップにより取得した複数の映像コンテンツを時間軸に沿ってリスト化してタイムマップを作成するタイムマップ作成ステップと、
該タイムマップ作成ステップによって作成された前記タイムマップに基づいて前記映像コンテンツを時間軸順に再生して表示画面に画像を表示する表示制御ステップと、
前記取得した複数の映像コンテンツの中で、互いに生成時間軸が重複する映像コンテンツを判別する判別ステップと、
該判別ステップによって生成時間軸が重複すると判別された複数の映像コンテンツのうちの一つ映像コンテンツの画像を、重複する他の映像コンテンツの画像の表示画面の一部に表示する表示画面変更ステップと、を備える
ことを特徴とする画像処理方法。
【請求項１１】
前記表示画面変更ステップは、前記重複する映像コンテンツが動画と静止画である場合に、静止画を前記表示画面の一部に表示する、
ことを特徴とする請求項１０に記載の画像処理方法。
【請求項１２】
前記タイムマップ作成ステップによって作成された前記タイムマップの映像コンテンツの中から再生したい画像をユーザーが選択可能とされ、
前記表示制御ステップは、ユーザーによって選択された画像を時間軸順に再生して前記表示画面に表示し、
前記判別ステップは、ユーザーによって選択された画像を判別対象とする、
ことを特徴とする請求項１０又は１１に記載の画像処理方法。
【請求項１３】
ユーザーが前記再生したい画像の時間軸の範囲を設定することにより、該画像の選択を可能にする、
ことを特徴とする請求項１２に記載の画像処理方法。
【請求項１４】
前記判別ステップが、同じ記録装置から取得した複数の映像コンテンツの中で、生成時間軸が重複する映像コンテンツを判別した場合に、該重複する映像コンテンツに対して再生優先度を設定する優先度設定ステップを備える、
ことを特徴とする請求項１０〜１３のいずれか一項に記載の画像処理方法。
【請求項１５】
前記優先度設定ステップは、前記重複する映像コンテンツが静止画と動画を含む場合に、動画を優先させる、
ことを特徴とする請求項１４に記載の画像処理方法。
【請求項１６】
前記優先度設定ステップは、前記重複する映像コンテンツのうちの、前記記録装置での記録時間が長い方を優先させる、
ことを特徴とする請求項１４に記載の画像処理方法。
【請求項１７】
前記優先度設定ステップは、前記重複する映像コンテンツのうちの、前記記録装置での記録開始時間が早い方を優先させる、
ことを特徴とする請求項１４に記載の画像処理方法。
【請求項１８】
前記優先度設定ステップは、前記重複する映像コンテンツのうちの、前記記録装置での記録完了時刻が早い方を優先させる、
ことを特徴とする請求項１４に記載の画像処理方法。
【請求項１９】
複数の映像コンテンツと前記複数の映像コンテンツの生成時間を示す時間情報とを取得する取得モジュールと、  前記取得モジュールにより取得した時間情報に基づき、前記取得モジュールにより取得した複数の映像コンテンツを時間軸に沿ってリスト化してタイムマップを作成するタイムマップ作成モジュールと、
該タイムマップ作成モジュールによって作成された前記タイムマップに基づいて前記映像コンテンツを時間軸順に再生して表示画面に画像を表示する表示制御モジュールと、
前記取得した複数の映像コンテンツの中で、互いに生成時間軸が重複する映像コンテンツを判別する判別モジュールと、
該判別モジュールによって生成時間軸が重複すると判別された複数の映像コンテンツのうちの一つの映像コンテンツの画像を、重複する他の映像コンテンツの画像の表示画面の一部に表示する表示画面変更モジュールと、をコンピュータに実行させる、
ことを特徴とするプログラム。
【請求項２０】
請求項１９に記載のプログラムを格納した、
ことを特徴とするコンピュータ読み取り可能な記憶媒体。
【発明の詳細な説明】
【技術分野】
【０００１】
本発明は、複数の映像記録装置から取得した映像コンテンツの再生画像を処理する画像処理装置、画像処理方法、プログラムおよび記憶媒体に関する。
【背景技術】
【０００２】
近年、デジタルカメラ、デジタルビデオカメラ、携帯電話等、映像を撮影／記録する記録装置の普及率は急速に高まってきている。そのため、何人かで同時に同じイベントを撮影し、撮影後に記録された映像コンテンツを共に楽しむ機会が増えてくるものと考えられる。
【０００３】
従来、このように共通のイベントを撮影した複数の記録装置より送られた映像信号を撮影時間の順にマッピングし、マッピングした順序で再生する編集再生システムが提案されている（例えば、特許文献１参照）。
【特許文献１】特開２００４−５６７３８号公報
【発明の開示】
【発明が解決しようとする課題】
【０００４】
しかし、特許文献１においては、複数の映像コンテンツで記録時間が重なった場合、一つの映像コンテンツを優先的に表示しており、他の映像コンテンツは表示されないという問題がある。
【０００５】
そこで、本発明は、各記録装置に記録されている映像コンテンツを快適に再生、鑑賞することができる画像処理装置、画像処理方法、プログラムおよび記憶媒体を提供することを目的とする。
【課題を解決するための手段】
【０００６】
上記目的を達成するために、請求項１に記載の画像処理装置は、複数の映像コンテンツと前記複数の映像コンテンツの生成時間を示す時間情報とを取得する取得手段と、前記取得手段により取得した時間情報に基づき、前記取得手段により取得した複数の映像コンテンツを時間軸に沿ってリスト化してタイムマップを作成するタイムマップ作成手段と、該タイムマップ作成手段によって作成された前記タイムマップに基づいて前記映像コンテンツを時間軸順に再生して表示装置に画像を表示する表示制御手段と、前記取得した複数の映像コンテンツの中で、互いに生成時間軸が重複する映像コンテンツを判別する判別手段と、該判別手段によって生成時間軸が重複すると判別された複数の映像コンテンツのうちの一つの映像コンテンツの画像を、重複する他の映像コンテンツの画像表示画面の一部に表示する表示画面変更手段と、を備えることを特徴とする。
【０００７】
請求項１０に記載の画像処理方法は、複数の映像コンテンツと前記複数の映像コンテンツの生成時間を示す時間情報とを取得する取得ステップと、前記取得ステップにより取得した時間情報に基づき、前記取得ステップにより取得した複数の映像コンテンツを時間軸に沿ってリスト化してタイムマップを作成するタイムマップ作成ステップと、該タイムマップ作成ステップによって作成された前記タイムマップに基づいて前記映像コンテンツを時間軸順に再生して表示画面に画像を表示する表示制御ステップと、前記取得した複数の映像コンテンツの中で、互いに生成時間軸が重複する映像コンテンツを判別する判別ステップと、該判別ステップによって生成時間軸が重複すると判別された複数の映像コンテンツのうちの一つの映像コンテンツの画像を、重複する他の映像コンテンツの画像表示画面の一部に表示する表示画面変更ステップと、を備えることを特徴とする。
【０００８】
請求項１９に記載のプログラムは、複数の映像コンテンツと前記複数の映像コンテンツの生成時間を示す時間情報とを取得する取得モジュールと、前記取得モジュールにより取得した時間情報に基づき、前記取得モジュールにより取得した複数の映像コンテンツを時間軸に沿ってリスト化してタイムマップを作成するタイムマップ作成モジュールと、該タイムマップ作成モジュールによって作成された前記タイムマップに基づいて前記映像コンテンツを時間軸順に再生して表示画面に画像を表示する表示制御モジュールと、前記取得した複数の映像コンテンツの中で、互いに生成時間軸が重複する映像コンテンツを判別する判別モジュールと、該判別モジュールによって生成時間軸が重複すると判別された複数の映像コンテンツのうちの一つの映像コンテンツの画像を、重複する他の映像コンテンツの画像の表示画面の一部に表示する表示画面変更モジュールと、をコンピュータに実行させる、ことを特徴とする。
【０００９】
請求項２０に記載のコンピュータ読み取り可能な記憶媒体は、請求項１９に記載のプログラムを格納した、ことを特徴とする。
【発明の効果】
【００１０】
本発明によれば、複数の記録装置に記録された複数の映像コンテンツを時間軸に沿ってリスト化してタイムマップを作成し、作成したタイムマップに基づいて映像コンテンツを時間軸順に再生して表示装置に画像を表示することができる。また、複数の映像コンテンツに時間軸が重複する映像コンテンツが存在する場合は、該重複する映像コンテンツのいずれかの画像を他の映像コンテンツの画像の表示画面の一部に表示することができる。これにより、各記録装置に記録されている映像コンテンツを快適に再生、鑑賞することができる。
【発明を実施するための最良の形態】
【００１１】
以下、本発明の実施の形態の一例を図を参照して説明する。図１は本発明の実施の形態の一例である画像処理装置を説明するための説明図、図２は本発明の実施の形態の一例である画像処理装置を説明するための制御ブロック図である。なお、この実施の形態では、画像処理装置として、ＴＶ（ｔｅｌｅｖｉｓｏｎ）を例に採る。
【００１２】
図１および図２に示すように、本発明の実施の形態の一例である画像処理装置１０は、外部ＩＦ処理部（接続手段）１１、ＣＰＵ１２、映像データ処理部１３、ＳＤＲＡＭ１４および表示部１５を備えている。外部ＩＦ処理部１１には、ＵＳＢ等の通信手段５を介して映像コンテンツのソースとしての記録装置１〜４が接続されて、各記録装置１〜４との間で通信が行われる。それぞれの記録装置１〜４は接続ＩＤによって識別されており、各ＩＤはＩＤ１〜ＩＤ４までの番号が与えられている。
【００１３】
ＣＰＵ１２は、本発明のタイムマップ作成手段、判別手段および優先度設定手段を備えている。そして、ＣＰＵ１２は、外部ＩＦ処理部１１を介して取得した映像コンテンツのメタデータを時間軸に沿ってリスト化してタイムマップを作成したり（タイムマップ作成手段）、各記録装置１〜４へデータの要求命令を出したりする。また、ＣＰＵ１２は、映像コンテンツの記録時間が重複しているか否かを判別したり（判別手段）、同じ映像ストレージで時間軸が重複している場合に、該重複する画像に対して再生優先度を設定したりする（優先度設定手段）。ＳＤＲＡＭ１４は、各記録装置１〜４より送信されてくる映像コンテンツの再生データを格納する。
【００１４】
映像データ処理部１３は、本発明の表示制御手段および表示画面変更手段を備えている。そして、映像データ処理部１３は、ＣＰＵ１２によって作成されたタイムマップを表示部１５に表示したり、該タイムマップに基づいて、ＳＤＲＡＭ１４に格納された再生データをデコードして時間軸順に再生画像を表示部１５に表示したりする（表示制御手段）。また、映像データ処理部１３は、ＣＰＵ１２から要求されるユーザーインターフェース画面や、ＣＰＵ１２から送られる画面構成情報に応じた画面を表示部１５に表示する。更に、映像データ処理部１３は、ＣＰＵ１２によって複数の映像コンテンツに生成時間軸が重複する映像コンテンツが存在すると判別された場合に、該重複する映像コンテンツのいずれかの画像を表示部１５の表示画面の一部に表示する（表示画面変更手段）。
【００１５】
なお、図示は省略するが、画像処理装置１０の操作キーブロックには、ＴＶ本体の電源スイッチ、映像を再生するためのレコーダーキー群が設けられている。また、画像処理装置１０の操作キーブロックには、ユーザーインターフェース手段として、ユーザーがＧＵＩ操作を行うための十字キーと確定キー、ＧＵＩ操作の取り消しを行うための取り消しキー、メニュー設定画面を呼び出すためのメニューキーなどがある。
【００１６】
そして、ＣＰＵ１２で作成されたタイムマップの映像コンテンツの中から再生したい画像をユーザーがユーザーインターフェース手段を利用して表示部１５上で選択したり、その他の各種設定をしたりすることができる。
【００１７】
ここで、ユーザーが再生したい画像をユーザーインターフェース手段を利用して表示部１５上で選択した場合は、映像データ処理部１３は、ＣＰＵ１２からの画像情報に応じて、時間軸順に再生画像を表示部１５に表示する。また、ＣＰＵ１２の判別手段は、ユーザーによって選択された画像を判別対象とする。
【００１８】
以下、具体例を挙げて詳述する。
【００１９】
図３は、各記録装置１〜４から外部ＩＦ処理部１１に送信されてくる映像コンテンツのメタデータの内容例である。このメタデータの内容は、各記録装置１〜４の接続先ＩＤと各記録装置１〜４で生成される映像コンテンツのＩＤ番号、静止画であるか動画であるのかのフラグ、記録開始時間、動画であれば記録時間、そしてサムネイル画像である。フラグについては、この実施の形態では、動画の場合１、静止画の場合０が選択される。
【００２０】
そして、ＣＰＵ１２のタイムマップ作成手段は、このメタデータを基にして映像コンテンツを時間軸に沿ってリスト化してタイムマップ（接続コンテンツリスト）を作成する。
【００２１】
図４に、ＣＰＵ１２のタイムマップ作成手段によって作成されたタイムマップデータを映像データ処理部１３で処理して表示部１５に表示したタイムマップ（接続コンテンツリスト）の画像例を示す。
【００２２】
図４の画像例では、左側に接続ＩＤが示され、下部に画像選択バーが表示されている。また、横軸が時間となり、各記録装置１〜４に記録されている映像コンテンツが時間と接続ＩＤに応じて映像ストレージとしてサムネイル表示されている。各サムネイル画像には動画であるか静止画であるかのアイコンが付加され、ユーザーの認識を可能にしている。
【００２３】
ユーザーは、ユーザーインターフェース手段を介して画像選択バーを操作することで、時間軸でどこからどこまでを再生するのかを選択することが可能で、この画面では、2005.11.12  11:15〜2005.11.12  11:34までを再生するように選択されている。
【００２４】
図５は、図４のタイムマップ（接続コンテンツリスト）でユーザーによって選択された映像コンテンツの画像を再生する場合の再生画面の構成を決定するためのメニュー画面である。この再生画面構成メニュー上で、ユーザーはユーザーインターフェース手段を介して各種設定を行う。
【００２５】
まず、基本画面数５−１では、表示部１５の表示画面上に常時確保される映像コンテンツ表示用エリアがいくつなのかを決定する。サブ画面５−２では、映像コンテンツの記録時間が重複しており、且つ基本画面数５−１で確保された表示用エリアだけでは同時再生できない場合に、記録時間重複期間中だけ確保される表示エリアを確保するかどうかを設定する。静止画表示時間５−３では、静止画コンテンツの表示時間を決定する。有効ストレージ５−４では、再生したい映像ストレージを選択する。ストレージ優先順位５−５では、再生する映像コンテンツの優先順位を設定する。ストレージ優先順位５−５での設定により、表示部１５の基本画面中のメインとなる表示エリアは、優先順位１番に指定された映像ストレージに記録されている映像コンテンツ専用のエリアに設定される。
【００２６】
また、下位ストレージの切捨て５−６の設定がＯＮになっている場合は、優先順位１番の映像ストレージに記録された映像コンテンツの再生時間中に再生できなかった映像コンテンツはそのまま再生されずに再生動作が終了する。
【００２７】
一方、下位ストレージの切捨て５−６の設定がＯＦＦとなっている場合には、優先順位１番のストレージの映像コンテンツ再生終了後にも、その時間内で再生できなかった映像を順次ストレージの優先順位に応じて再生する。プレビュー画面６−７は、実際の再生画面がどのような構成になるかを表示する。
【００２８】
図６は、図５で示した再生画面構成メニュー上の設定値を変更したものである。図６では、有効ストレージ６−４をＩＤ３とＩＤ４のみにしている。そのため、ストレージ優先順位６−５もＩＤ４とＩＤ３のみとなっている。図７は、図６の再生画面構成メニュー上で設定を変更した結果の接続コンテンツリストである。図７では、図６の有効ストレージ６−４からはずされたＩＤ１，ＩＤ２に例えばグレー等の識別用の色が付されて選択不可状態となり、また、各映像ストレージに記録されている映像コンテンツにも識別用の色が付されて、ユーザーに選択不可であることを強調している。
【００２９】
図８は、図６で示した再生画面構成メニュー上での設定内容に応じた実際の表示部１５の再生画面の構成である。
【００３０】
再生開始時７−１では、基本画面数が１に設定されているので、ストレージ優先順位の１番に設定されているＩＤ４の映像ストレージ４に記録された映像の再生画面が表示部１５に表示されている。そして、ＩＤ３の映像ストレージ３に記録された静止画の記録時間になると（７−２）、表示画面の右下にサブ画面エリア７−３が生成され、ＩＤ３の映像ストレージ３に記録された静止画がメニューの静止画表示時間で設定された再生時間５秒間表示される。その後、サブ画面エリア７−３は消失し、ＩＤ４の映像ストレージ４に記録された映像のみの再生画面へ戻る（７−４）。
【００３１】
図９は、再生画面構成メニューの設定値を更に変更したものである。図９では、基本画面数８−１が３に設定されているため、プレビュー画面８−７の構成が変化している。また、サブ画面８−２の設定がＯＦＦにされているため、プレビュー画面８−７にサブ画面の表示エリアが表示されていない。
【００３２】
図１０は、図９の再生画面構成メニューで設定された条件に応じて再生を行った場合の表示部１５での再生画面を示している。
【００３３】
図１０では、再生開始時には、ストレージ優先順位の１番に設定されているＩＤ４の映像ストレージ４に記録された映像の再生画面が表示部１５のメイン画面に表示されている（９−１）。その後、再生時間が進み、ＩＤ３の映像ストレージ３に記録されている静止画画像の記録時間になると、優先順位がメイン画面の次に高い表示画面（メイン画面の右上方）に静止画が表示され、静止画再生時間５秒間その静止画が保持される（９−２）。静止画再生時間が経過した後、静止画の表示が消え（９−３）、その後も再生時間が進むと、その時間軸に応じて他の映像コンテンツも順次表示される。
【００３４】
図１１は、再生画面構成メニューでの設定値に応じた画面構成を生成するためのフローチャートである。
【００３５】
まず、処理がスタートすると、ステップＳ１で基本画面数を取得し、ステップＳ２で基本画面数に応じた基本画面レイアウトを決定する。次に、ステップＳ３では、サブ画面が設定されているか否かを判断する。そして、ステップＳ３で、サブ画面が設定されていない場合は、処理を終了し、サブ画面が設定されている場合は、ステップＳ４に移行して、ステップＳ２で設定した基本画面レイアウトに応じた位置にサブ画面を配置して、処理を終了する。
【００３６】
図１２は、再生を行う際に再生順や表示の優先順位を決定するための映像コンテンツ再生マッピング処理のフローチャート図である。
【００３７】
処理がスタートすると、ステップＳ１１で有効ストレージを取得し、ステップＳ１２では、有効ストレージに記録された映像コンテンツを取得して、タイムマップ（接続コンテンツリスト）上にリストアップするべき対象を決定する。その後、ステップＳ１３では、ステップＳ１２でリストアップされた各映像コンテンツの記録時間を取得し、ステップＳ１４で、時間軸が重複する映像コンテンツが存在するか否かを判断する。
【００３８】
ステップＳ１４で、時間軸が重複する映像コンテンツが存在すると判断された場合は、ステップＳ１５に移行して、再生優先度処理を実行し、ステップＳ１６で、再生優先度リストへの映像コンテンツの追加、あるいは修正を行い、ステップＳ１７に移行する。
【００３９】
一方、ステップＳ１４で、時間軸が重複する映像コンテンツが存在しないと判断された場合は、ステップＳ１７に移行する。
【００４０】
次に、ステップＳ１７では、さらに時間軸の比較が必要な映像コンテンツがあるか否かを判断し、ある場合は、ステップＳ１４に戻って上述した処理を繰り返し、すべての映像コンテンツの比較が終了したら処理を終了する。
【００４１】
図１３は、図１２のステップＳ１５で示した優先度決定処理の一例であるフローチャートである。
【００４２】
まず、ステップＳ２１では、比較する映像コンテンツの情報を取得し、比較を開始する。最初に比較を行うのは、比較対象の映像コンテンツが記録されている映像ストレージの優先度（再生画面構成メニューで決定されている）の比較である（ステップＳ２２）。映像ストレージが各映像コンテンツで異なれば、再生画面構成メニューで設定された優先度が高い映像ストレージの映像コンテンツが優先される。次に、比較されるのが記録開始時間である（ステップＳ２３）。ここでは、記録開始時間が早い方の映像ストレージの映像コンテンツが優先される。ステップＳ２３でも優先度が決定できない場合には、各映像コンテンツが動画か静止画かを判別し（ステップＳ２４およびステップＳ２５）、動画を優先する。ステップＳ２４およびステップＳ２５でも優先度が決定されない場合には、映像コンテンツ情報を先に取得した方（ここではコンテンツＡ）の優先度を高くして処理を終了する。なお、各映像ストレージでの記録時間の長さや、記録完了時刻について比較して優先度を決定するようにしてもよい。
【００４３】
以上説明したように、この実施の形態では、複数の記録装置１〜４に記録された映像コンテンツを時間軸に沿ってリスト化してタイムマップを作成し、作成したタイムマップに基づいて複数の映像コンテンツを時間軸順に再生して表示部１５に画像を表示することができる。また、複数の映像コンテンツに時間軸が重複する画像が存在する場合は、該重複する映像コンテンツののいずれかの画像を他の映像コンテンツの画像の表示画面の一部に表示することができる。これにより、各記録装置１〜４に記録されている映像コンテンツを快適に再生、鑑賞することができる。
【００４４】
なお、本実施形態では、複数の記録装置１〜４により記録された映像コンテンツを取得して表示していたが、例えば、ビデオカメラにより撮影された映像コンテンツをその撮影時間情報と共に受け取り、表示する構成でもよい。
【００４５】
この場合、撮影時間情報がその映像コンテンツの生成時間情報となる。また、表示装置１０の内部に大容量のストレージを設け、このストレージに対して、一旦外部のソースから受け取った映像コンテンツを記憶した後、タイムマップを作成して再生、表示する構成でもよい。
【００４６】
次に、上記実施の形態の機能を実現するソフトウェアのプログラムコードを記憶した記憶媒体を、システム或いは装置に供給する場合を考える。ここで、本発明の目的は、そのシステム或いは装置のコンピュータ（またはＣＰＵやＭＰＵ等）が記憶媒体に格納されたプログラムコードを読み出し実行することによっても達成される。
【００４７】
この場合、記憶媒体から読み出されたプログラムコード自体が上記実施の形態の機能を実現することになり、そのプログラムコード及び該プログラムコードを記憶した記憶媒体は本発明を構成することになる。
【００４８】
また、プログラムコードを供給するための記憶媒体としては、例えば、フレキシブルディスク、ハードディスク、光磁気ディスク等を用いることができる。あるいは、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００４９】
また、コンピュータが読み出したプログラムコードを実行することにより、上記実施の形態の機能が実現される場合だけではない。そのプログラムコードの指示に基づき、コンピュータ上で稼動しているＯＳ（オペレーティングシステム）等が実際の処理の一部または全部を行い、その処理によって上記実施の形態の機能が実現される場合も含まれる。
【００５０】
さらに、記憶媒体から読み出されたプログラムコードが、コンピュータに挿入された機能拠張ボードやコンピュータに接続された機能拡張ユニットに備わるメモリに書き込まれた場合を考える。この場合に、そのプログラムコードの指示に基づき、その拡張機能を拡張ボードや拡張ユニットに備わるＣＰＵ等が実際の処理の一部または全部を行い、その処理によって上記実施の形態の機能が実現される場合も本発明に含まれる。
【図面の簡単な説明】
【００５１】
【図１】本発明の実施の形態の一例である画像処理装置を説明するための説明図である。
【図２】本発明の実施の形態の一例である画像処理装置を説明するための制御ブロック図である。
【図３】映像コンテンツのメタデータの内容例を示す図である。
【図４】接続コンテンツリスト（タイムマップ）の表示例を示す図である。
【図５】再生画面構成メニューの一例を示す図である。
【図６】再生画面構成メニューの他の例を示す図である。
【図７】図６に示す再生画面構成メニューに応じた接続コンテンツリスト（タイムマップ）の表示例を示す図である。
【図８】再生画面の表示例を示す図である。
【図９】再生画面構成メニューの他の例を示す図である。
【図１０】図９に示す再生画面構成メニューに応じた再生画面の表示例を示す図である。
【図１１】再生画面構成処理を説明するためのフローチャート図である。
【図１２】再生タイムマップ生成処理を説明するためのフローチャート図である。
【図１３】映像コンテンツの再生優先度決定処理を説明するためのフローチャート図である。
【符号の説明】
【００５２】
１〜４  記録装置
１０    画像処理装置
１１    外部ＩＦ処理部（接続手段）
１２    ＣＰＵ（タイムマップ作成手段，判別手段，優先度設定手段）
１３    映像データ処理部（表示制御手段，表示画面変更手段）
１５    表示部
【図１】
2008011245.tif 000003
【図２】
2008011245.tif 000004
【図３】
2008011245.tif 000005
【図４】
2008011245.tif 000006
【図５】
2008011245.tif 000007
【図６】
2008011245.tif 000008
【図７】
2008011245.tif 000009
【図８】
2008011245.tif 000010
【図９】
2008011245.tif 000011
【図１０】
2008011245.tif 000012
【図１１】
2008011245.tif 000013
【図１２】
2008011245.tif 000014
【図１３】
2008011245.tif 000015